(57)【要約】  本発明は、キャスターに関し、下端に開口部を有するソケット形状で地面に接触される車輪が回転可能に下側の一部分にヒンジ結合で設置されたキャスター本体と、前記キャスター本体の上端に回転可能に連結され、その上部の重量物に固定設置され、前記重量物に対して相対的にキャスター本体を回転可能に連結結合する連結フレームと、地面に接触されるように前記開口部を介して前記キャスター本体に出没可能に具備される支持体と、前記キャスター本体の内部収容空間に具備され、キャスター本体の外周のある部分に貫通連結された回転ノブの回転操作を介して前記支持体を出没動作させる調節手段を含むことを特徴とするレベルキャスターを提供することにより、ユーザーの回転操作だけで誰でも簡単、迅速にキャスターの高さを調節することができる効果を期待する。【選択図】図３
2021501092.tif 000002
【特許請求の範囲】
【請求項１】
レベルキャスターであって、
下端に開口部（１２０）を有するソケット形状で地面に接触される車輪（１１０）が回転可能に下側の一部分にヒンジ結合で設置されたキャスター本体（１００）と、
キャスター本体（１００）の上端に回転可能に連結され、その上部の重量物（２０）に固定設置され、前記重量物（２０）に対して相対的にキャスター本体（１００）を回転可能に連結結合する連結フレーム（２００）と、
地面に接触されるように前記開口部（１２０）を介して前記キャスター本体（１００）に出没可能に具備される支持体（３００）と、
キャスター本体（１００）の外側から内部収容空間（１３０）に貫通される回転軸（４１１）と連結される回転ノブ（４１３）と収容空間（１３０）で回転軸（４１１）に連結された回転ギア（４１５）を有する回転調節部（４１０）と、および
収容空間（１３０）に収容設置されて回転ギア（４１５）にベベルギアで連結される従動ギア（４２３）とこの従動ギア（４２３）にねじ合わせで貫通して締結される調節スクリュー（４２１）で構成されて従動ギア（４２３）の回転に応じて支持体（３００）を昇降させる従動レベル部（４２０）で構成され、キャスター本体（１００）の外側の回転ノブ（４１３）の回転操作を介して支持体（３００）を昇降動作させる調節手段（４００）とを含むことを特徴とする、レベルキャスター。
【発明の詳細な説明】
【技術分野】
【０００１】
本発明は、キャスターに関し、より具体的には、従来に比べてだれでも簡単にレベリングを行うことができるレベルキャスターに関する。
【背景技術】
【０００２】
一般的に、キャスター（ｃａｓｔｅｒ）はどっしりした家具を移動しやすくするために、家具の脚の下端に設置する小さな車輪をいう。
そして、前記キャスターには移動機能と一緒に一定の場所で動かずに安定的に支持するために高さ調節機能が付加されたものがある。
【０００３】
このようなキャスターは車輪を利用して、希望の場所に移動して位置させた後、ハンドルを回転させて支持部材が床面に接するようにすることで、キャスターによって移動しないように支持することができる。
【０００４】
したがって、特許文献１に提案された従来のキャスターは、歯車の周りに左右に所定角度回転可能に設置され、第１の係止部と第２の係止部を備えるスイッチ部材と、スイッチ部材を選択された方向に弾性的に押す弾性器具と、歯車と同じ回転軸を中心に回転可能に設置され、スイッチ部材に支持部と、弾性機構に設置部、ハンドルに収容部がそれぞれ形成されて、ケースとハンドルの収容部に収容されて歯車の半径方向に移動可能に設置されたハンドルとを備えて構成された歯車回動機構を含んで構成されたもので、ハンドルによるトルクの伝達方向を決定するためのスイッチ部材および弾性機構の構成が複雑で、製作、組み立てが難しいという問題点を有している。
【０００５】
このような問題点を解決しようと特許文献２のキャスターは周囲に多数のギア溝を有するギアと、ギアの周囲に配置されてギアに対するトルクの伝達方向を選択して、トルクを伝達するトルク伝達装置を含み、トーク伝達装置は、第１の位置と第２の位置の間で回転可能な調節レバーと、調節レバーが第１の位置と第２位置のいずれかに位置されるようにする位置調節部材を含み、調節レバーは、第１の位置と第２位置で同じギア溝に位置することができ、調節レバーが第１の位置と第２位置のいずれかの位置される場合、トルク伝達装置は、ギアに選択された一方向にのみトルクを伝達することができ、調節レバーは回転の中心を含む一つの係止端部を備え、係止端部が回転によってギア溝を加圧する方向が変更されることにより、トルクの伝達方向が決定して高さを調節する。
【０００６】
したがって、特許文献２のキャスターは、特許文献１のキャスターに比べて、その構成および設置が簡単で、製作コストを削減することができるが、キャスターのレベリングのためには、ユーザーがハンドルを握って左／右に繰り返して往復動作させる行程区間に比べてレベリングが低すぎて、女性、高齢者などの筋力脆弱者には、体力の消耗が相当するのであきらめたり、専門家の助けを受けなければならない問題がある。
【先行技術文献】
【特許文献】
【０００７】
【特許文献１】韓国特許１０−０３１６４０１  Ｂ１
【特許文献２】韓国特許１０−１５９５８４１  Ｂ１
【発明の概要】
【発明が解決しようとする課題】
【０００８】
上記した問題点を解決するために、本発明は、従来に比べてユーザーの回転操作だけでレベリングのための調節手段をベベルギヤ方式で構成して、迅速かつ容易にキャスターの高さを調節することができるレベルキャスターを提供する目的がある。
【課題を解決するための手段】
【０００９】
上記した目的を達成するために、本発明は、下端に開口部を有するソケット形状で地面に接触される車輪が回転可能に下側の一部分にヒンジ結合で設置されたキャスター本体と、前記キャスター本体の上端に回転可能に連結され、その上部の重量物に固定設置され、前記重量物に対して相対的に前記キャスター本体を回転可能に連結結合する連結フレームと、地面に接触されるように前記開口部を介して前記キャスター本体に出没可能に具備される支持体と、前記キャスター本体の内部収容空間に具備され、キャスター本体の外周のある部分に貫通連結された回転ノブの回転操作を介して前記支持体を出没動作させる調節手段を含むことを特徴とするレベルキャスターを提供する。
【００１０】
ここで、前記調節手段は、前記キャスター本体の周囲一側に貫通結合される回転軸を基準にキャスター本体の外側でユーザーが回転操作する回転ノブと、キャスター本体の裏側に回転ギアを有する回転調節部と、前記収容空間に収容設置されて前記回転ギアにベベルギア方式で連結される従動ギアとこの従動ギアに貫通して締結されて従動ギアの回転に応じて前記支持体を昇降動作させる調節スクリューを有する従動レベル部とを含むことを特徴とする。
【発明の効果】
【００１１】
上記のように構成された本発明を提供することで、ユーザーの回転操作だけで誰でも簡単、迅速にキャスターの高さを調節することができるという利点がある。
【図面の簡単な説明】
【００１２】
【図１】本発明に係るレベルキャスターを示す正面図である。
【図２】本発明に係るレベルキャスターを示す側面図である。
【図３】本発明に係るレベルキャスターの動作状態を示す断面図である。
【図４】本発明に係るレベルキャスターの動作状態を示す斜視図である。
【発明を実施するための形態】
【００１３】
以下、本発明について、同じ技術分野に属する通常の知識を有する者が容易に実施できるように添付図面を参照して、好ましい実施例を詳細に説明することにする。
【００１４】
本発明のレベルキャスター１０は、図１ないし図４に示されたように、車輪１１０を有するキャスター本体１００と、重量物２０にキャスター本体１００を支持連結する連結フレーム２００と、キャスター本体１００の下端に出没される支持体３００と、この支持体３００を昇降させる調節手段を含んで構成される。
【００１５】
ここで、前記キャスター本体１００は、下端に開口部１２０を有するソケット形状で地面に接触される車輪１１０が回転可能に下側の一部分にヒンジ結合で設置される。
【００１６】
言い換えれば、前記キャスター本体１００の周囲一側に車輪ブラケット１４０が突出形成され、この車輪ブラケット１４０の一部分に形成された車輪軸孔１４１に前記車輪１１０の車輪軸１１１が軸結合されるものである。
したがって、前記車輪１１０の周面が地面に接触されて前記重量物２０を所望の位置に容易に移動させることができる。
【００１７】
そして、前記重量物２０は、通常、重い家具、機械装置または荷物を載せたワゴンを言うものであり、本発明のレベルキャスター１０は、この重量物２０の各角部の合計４カ所に設置されることが好ましい。
【００１８】
この時、前記連結フレーム２００は、前記キャスター本体１００の上端に回転可能に連結され、その上部の重量物２０に固定設置され、前記重量物２０に対して相対的に前記キャスター本体１００を回転可能に連結結合する。
【００１９】
すなわち、前記重量物２０の底面にボルト、ピースなどの締結手段の締結を通じて固定設置されると、下端に連結されたキャスター本体１００は、重量物２０の移動する方向に沿って車輪１１０が転がることができるよう、自由回転される。
一方、前記支持体３００は、地面に接触されるように前記開口部１２０を介して前記キャスター本体１００に出没可能に備えられる。
【００２０】
そして、前記調節手段４００は、前記キャスター本体１００の内部収容空間１３０に具備され、キャスター本体１００の外周のある部分に貫通連結された回転ノブ４１３の回転操作を介して前記支持体３００を出没動作させる。
【００２１】
したがって、前記調節手段４００の動作に応じて前記支持体３００は、前記車輪１１０が地面に接触される基準面を重心に上／下に移動して前記重量物２０を所望の位置に移動させる場合、前記支持体３００をキャスター本体１００内に入れ込み、前記重量物２０を所望の位置に固定しようとする場合、前記支持体３００を基準面より下に突出させて車輪１１０が地面から離されるようにする。
【００２２】
一方、図３によれば、前記調節手段４００は、ユーザーが任意に回転操作する回転調節部４１０と、この回転調節部４１０の回転に応じて回転して前記支持体３００を昇降動作させる従動レベル部４２０からなる。
【００２３】
ここで、前記回転調節部４１０は、前記キャスター本体１００の周囲一側に貫通結合される回転軸４１１を基準にキャスター本体１００の外側でユーザーが回転操作する回転ノブ４１３と、キャスター本体１００の裏側に回転ギア４１５を有する。
【００２４】
そして、前記従動レベル部４２０は、前記収容空間１３０に収容設置されて前記回転ギア４１５にベベルギア方式で連結される従動ギア４２３と、この従動ギア４２３に貫通して締結されて従動ギア４２３の回転に応じて前記支持体３００を昇降動作させる調節スクリュー４２１を有する。
【００２５】
一方、前記回転ノブ４１３には調節突起４１７がさらに形成され、この調節突起４１７は、ユーザーの腕力で前記回転ノブ４１３を回転させない場合、ランチや六角ランチなどの一般的な工具を使用して、回転ノブ４１３を容易に回転操作させることができる。
【００２６】
最後に、前記調節スクリュー４２１は、前記キャスター本体１００を貫通して前記連結フレーム２００と支持体３００にそれぞれの両端部がスラスト（ｔｈｒｕｓｔ）結合されて重量物２０の荷重に耐える中心支持軸の役割を果たす。
以上に構成された本発明のレベルキャスター１０は、図３及び図４を参照して、参考にして動作関係を説明する。
【００２７】
まず、前記キャスター本体１００の周囲一側に露出構成された回転ノブ４１３をユーザーが一方向に回転操作する場合、回転軸４１１を中心に回転ギア４１５が同じように回転しながらベベルギア方式で連結された前記従動ギア４２３を回転させる。
【００２８】
この時、前記従動ギア４２３に貫通して締結された調節スクリュー４２１は、従動ギア４２３の回転に応じてスクリュー方式によって垂直下方向に移動するようになり、この調節スクリュー４２１の下端にスラスト連結された支持体３００が調節スクリュー４２１に押されて、車輪１１０と接触される地面の基準より下に突出して前記重量物２０を安定的に位置固定することになる。
【００２９】
逆に、ユーザーが回転ノブ４１３を逆方向に回転させる場合、回転ギア４１５および従動ギア４２３が上記の動作に反対方向に回転して前記調節スクリュー４２１を上昇させて車輪１１０と接触される地面の基準よりも上である開口部１２０の中に収納されて、最終的に車輪１１０が地面に接触されて、ユーザーが重量物２０を所望の位置に容易に移動させることができる。
上記のように構成された本発明を提供することで、ユーザーの回転操作だけで誰でも簡単、迅速にキャスターの高さを調節することができるという利点がある。
【００３０】
以上に説明した本明細書及び請求の範囲に使用される用語と単語は、通常または辞典的な意味に限定して解釈されてはならず、本発明者は、彼自身の発明を最も最善の方法で説明するために、用語の概念を適切に定義することができるという原則に立脚して、本発明の技術的思想に符合する意味と概念に解釈されるべきである。
【００３１】
したがって、本明細書に記載された図面及び実施例に示された構成は、本発明の最も好ましい一実施例に過ぎないだけで、本発明の技術的思想をすべて代弁するものではなく、本出願時点においてこれらを代替することができ様々な均等物と変形例があり得ることを理解しなければならない。
【符号の説明】
【００３２】
１０：レベルキャスター
２０：重量物
１００：キャスター本体
１１０：車輪
１２０：開口部
１３０：収容空間
２００：連結フレーム
３００：支持体
４００：調節手段
４１０：回転調節部
４１１：回転軸
４１３：回転ノブ
４１５：回転ギア
４１７：調節突起
４２０：従動レベル部
４２１：調節スクリュー
４２３：従動ギア
【図１】
2021501092.tif 000003
【図２】
2021501092.tif 000004
【図３】
2021501092.tif 000005
【図４】
2021501092.tif 000006
【国際調査報告】
2021501092.tif 000007
2021501092.tif 000008
2021501092.tif 000009
2021501092.tif 000010